(57)【特許請求の範囲】
【請求項１】
放送または通信の信号等を受信する端末として設けたチューナあるいはテレビ受像機、あるいはコンピュータに供給または送出するシステムで使用される共同受信機器において、放送波を含む広帯域な下り信号を第一の信号周波数とし、広帯域な衛星受信用コンバータの出力信号を第二の信号周波数とし、広帯域な衛星受信用コンバータの出力信号を第三の信号周波数とし、第一の信号周波数は第二の信号周波数よりも低い周波数であり、第二の信号周波数は第三の信号周波数よりも低い周波数である。第一の信号周波数、第二の信号周波数、第三の信号周波数の信号は、それぞれ設けられた第一の入力端子、第二の入力端子、第三の入力端子から入力されて合成され、一本の同軸ケーブルで複数設けられた出力端子まで伝送されると共に、この複数の出力端子から双方向用の上り信号を第四の信号周波数の信号として入力し、この第四の信号周波数の信号は第一の信号周波数よりも低い周波数で第一の入力端子から出力する。上記第一の入力端子に入力された上記第一の信号周波数の信号は、上記第四の信号周波数の信号の通過を阻止し、上記第一の信号周波数の信号のみ通過するフィルタと、第二の信号周波数および第三の信号周波数の信号の通過を阻止し、第一の信号周波数の信号のみ通過するフィルタで構成される第一の信号周波数伝送経路と、上記第二の入力端子に入力された上記第二の信号周波数の信号は、上記第三の信号周波数の信号の通過を阻止し、上記第二の信号周波数の信号のみ通過するフィルタと、前記フィルタを通過した第二の信号周波数の信号と後述する第三の信号周波数の信号を合成し、さらに、第一の信号周波数の信号の通過を阻止し、第二の信号周波数の信号および第三の信号周波数の信号を通過するフィルタで構成された第二の信号周波数伝送経路と、上記第三の入力端子に入力された上記第三の信号周波数の信号は、上記第二の信号周波数の信号の通過を阻止し、上記第三の信号周波数の信号のみ通過するフィルタと、前記フィルタを通過した第三の信号周波数の信号と上記第二の信号周波数の信号と合成され、上記第一の信号周波数の信号の通過を阻止し、第二の信号周波数の信号および第三の信号周波数の信号を通過するフィルタで構成される第三の信号周波数伝送経路と、上記第一の信号周波数伝送経路、第二の信号周波数伝送経路、第三の信号周波数伝送経路からの各信号を合成し、上記合成された第一の信号周波数、第二の信号周波数、第三の信号周波数の信号を等分に２以上に分配する分配回路を備え、上記分配回路の第一の出力信号を、第四の信号周波数の信号の通過を阻止し、第一の信号周波数、第二の信号周波数、第三の信号周波数の信号のみ通過するフィルタと後述の第四の信号周波数の信号と合成して第一の信号周波数、第二の信号周波数、第三の信号周波数の信号を出力するための第一の出力端子を備え、さらに、上記２分配回路の第二の出力信号を第二の出力端子から入力される第四の信号周波数の信号を阻止し、第一の信号周波数、第二の信号周波数、第三の信号周波数の信号のみ通過するフィルタを備え、第一の出力端子から入力された第四の信号周波数の信号を第一の信号周波数および第二の信号周波数および第三の信号周波数の信号の通過を阻止し、第四の信号周波数の信号のみ通過するフィルタと、第一の信号周波数の信号の通過を阻止して、第四の信号周波数の信号のみ通過するフィルタで構成される第四の信号周波数伝送経路を備え、上記第四の信号周波数の信号を上記第一の入力端子に出力することを特徴とした共同受信機器。
【請求項２】
請求項１に記載の共同受信機器において、第一の信号周波数、第二の信号周波数、第三の信号周波数の信号を出力、または、第四の信号周波数の信号を入力する複数の出力端子と、第一の信号周波数、第二の信号周波数、第三の信号周波数の信号を出力する複数の出力端子を設けたことを特徴とした共同受信機器。
【請求項３】
請求項１および請求項２に記載の共同受信機器において、第一の信号周波数伝送経路、第二の信号周波数伝送経路、第三の信号周波数伝送経路、第四の信号周波数伝送経路の伝送経路上のいずれかに各伝送経路を流れる信号を増幅する増幅回路も備えたことを特徴とした共同受信機器。
【請求項４】
請求項１〜３に記載の共同受信機器において、第二の入力端子と第二のフィルタの間に電源信号分離フィルタを備え、第二の入力端子に接続された衛星受信機器を動作させるための電源を送出するようにしたことを特徴とした共同受信機器。
【請求項５】
請求項１〜４に記載の共同受信機器において、第一の入力端子と第一のフィルタの間に電源分離フィルタを備え、さらに、上記各出力端子と第一出力信号または第二出力信号の各経路上の各出力端子側に電源分離フィルタを備え、両電源フィルタの電源入・出力端子を接続し、第三の入力端子に接続された異なる衛星受信機器を動作させるための電源を送出するとともに、偏波切換信号を上記電源に重畳したことを特徴とした共同受信機器。
【発明の詳細な説明】
【０００１】
【発明が属する技術分野】
本発明は、双方向ＣＡＴＶシステムで使用する双方向の共同受信機器に関するもので、さらに詳しくは１個の機器で、第一の信号周波数と第二の信号周波数と第三の信号周波数と第四の信号周波数とを効率よく入力、出力するようにした共同受信機器。
【０００２】
【従来の技術】
従来の技術としては、個々の信号を入力端子に入力して混合し、出力端子へ出力するためのものはあるが、多くのフィルタで構成したりして相互の電気的な整合および特性が得られない。所定の出力端子から所定の入力端子に特定の双方向用の上り信号を出力するものはなかった。またこれらの機器では、電気的な性能、コンパクト化、双方向データ通信が必須であるインターネット接続サービスを達成することに非常に困難性があったため、従来の双方向ＣＡＴＶシステムでは、利用者に対してのサービスが十分には行えなかった。
【０００３】
【発明が解決しようとする課題】
上記のような従来の共同受信機器では、利用者において、ＣＡＴＶサービスの供給に問題を生ずる。
【０００４】
本発明は、上記従来の問題点に鑑みなされたもので、利用者に対してのサービスを向上させることを目的としている。
【０００５】
【課題を解決するための手段および発明の効果】
かかる目的を達成するためになされた請求項１に記載の発明は、入力端子に入力された信号を効率よく混合、分配して出力端子に出力することができる。また、出力端子から入力された第四の信号周波数を効率よく入力端子へ出力することができる。それと共に、利用者に対してのサービスの向上を図ることができる。
【０００６】
請求項１に記載の発明では、１個の共同受信機器の中に第一の信号周波数、第二の信号周波数、第三の信号周波数を入力端子に入力して合成するにあたりそのフィルタの組み合わせを最小限にして損失を少なくして分配すると共に第四の信号周波数を出力端子が入力して第一の信号周波数の入力端子に出力できるようにしている。
【０００７】
請求項２に記載の発明では第一の信号周波数、第二の信号周波数、第三の信号周波数をそれぞれの入力端子から入力して複数の出力端子に出力すると共に、第四の信号周波数を複数の出力端子から入力して第一の信号周波数の入力端子に出力するようにしている。
【０００８】
請求項３に記載の発明では、各第一の信号周波数、第二の信号周波数、第三の信号周波数、第四の信号周波数の信号を増幅して、適正なレベルで接続されたケーブルに送出するようにしている。
【０００９】
請求項４に記載の発明では、第二の入力端子に接続された衛星受信機器に電源を重畳しているので１本のケーブルでの接続を可能としている。
【００１０】
請求項５に記載の発明では、各出力端子に接続されたチューナー等の機器から入力された電源を他の出力端子に出力することなく第二の入力端子に出力することができる。
【００１１】
【発明の実施の形態】
以下に、本発明の実施例を図面と共に説明する。まず図１は、共同受信機器としての実施例のＣＡＴＶ双方向増幅器の構成を表す構成図である。図６は、双方向ＣＡＴＶシステムの構成を表す構成図である。図６において、１は住宅で、集合住宅や個別住宅（一戸建て）がある。２はＣＡＴＶシステムからの引込線、３はＣＳ信号を受信するＣＳアンテナ、３ａはＣＳ受信信号をＩＦ帯に変換するＣＳコンバータ、４はＢＳ信号を受信するＢＳアンテナ、４ａはＢＳ受信信号をＩＦ帯に変換するＢＳコンバータ、５は増幅器で、双方向増幅器を示す。６はＢＳ・ＣＳ信号を受信し、映像・音声等信号を出力するチューナ、５６は上記チューナが出力した映像・音声を出力するためのＴＶ受像機、５７はケーブルモデム、５８は情報端末装置、５９はセットトップボックス（以下、ＳＴＢという）である。７は上記ＣＡＴＶ引込線２からの第一の信号周波数（ＶＨＦおよびＵＨＦを含むもので、例えば７０ＭＨｚ〜７７０ＭＨｚである。以下、双方向下り信号という）を入力し、第四の信号周波数（例えば１０ＭＨｚ〜５５ＭＨｚである。以下、双方向上り信号という）を出力する第一の入力端子。８は上記ＣＳコンバータ３ａが出力する第三の信号周波数（衛星通信受信用コンバータ３ａの出力信号、例えば１５２７ＭＨｚ〜２１５０ＭＨｚである。以下、ＣＳ−ＩＦ信号という）を入力するための第三の入力端子、９は上記ＢＳコンバータ４ａが出力する第二の信号周波数（衛星放送受信用コンバータ４ａの出力信号、例えば１０３５ＭＨｚ〜１３３５ＭＨｚである。以下、ＢＳ−ＩＦ信号という）を入力するための第二の入力端子である。尚、ＣＡＴＶ引込線２の代わりに混合器５５の出力信号が接続される可能性がある。混合器５５には、ＶＨＦ受信アンテナ５３、ＵＨＦ受信アンテナ５４がそれぞれ接続されている。１０は増幅器５の第一の出力端子（双方向出力端子）で、上記増幅器に介設された後述する上り信号阻止切換スイッチ１２を操作することにより、双方向または単方向のいずれか一方を選択できる。１１は増幅器５の第二の出力端子（単方向出力端子）で、下り信号のみ出力される。
【００１２】
次に、共同受信機器の構成について、図１に示す通り詳細に説明する。増幅器５には、双方向下り信号を入力するための入力端子７、ＣＳ−ＩＦ信号を入力するための入力端子８、ＢＳ−ＩＦ信号を入力するための入力端子９、１以上の双方向と単方向が切換可能な双方向出力端子１０、単方向出力端子１１、および電源入力のためのプラグ３９が設けられている。また、入力端子７、入力端子８、入力端子９、双方向出力端子１０、単方向出力端子１１には、それぞれ避雷素子が取付けられている。図１において、ユーザーが外部の双方向ＣＡＴＶシステムのセンター装置にインターネット等のデータを送信するため、そのデータをパーソナルコンピュータ等の情報端末装置で生成した際、これをケーブルモデム５７にて外部の双方向ＣＡＴＶシステムで伝送可能な双方向上り信号に変換して送出し、この双方向上り信号は同軸ケーブルを伝送して増幅器５の双方向出力端子１０に入力される。また、同様にＳＴＢ５９の操作ボタンを操作することにより、上記の双方向上り信号が上記双方向出力端子１０に入力される。双方向出力端子１０に入力された双方向上り信号は、後述する電源信号分離フィルタ４１ｂに入力され、上記増幅器５内に取り込まれる。電源信号分離フィルタ４１に入力された双方向上り信号は、後述する双方向上り信号阻止切換スイッチ１２、混合回路としての分配混合回路２７に入力される。他の双方向出力端子１０の双方向上り信号と混合された上り信号は、双方向下り信号、ＢＳ−ＩＦ信号、ＣＳ−ＩＦ信号を阻止し、双方向上り信号を通過するフィルタ１８（例えばローパスフィルタ。以下、ＬＰＦという）、後述する帯域切換回路１７で所定の帯域幅に制限され、利得調整回路１６、増幅回路１５、減衰回路１４で所定レベルに増幅または減衰され、双方向下り信号を阻止し双方向上り信号を通過するフィルタ１３を介してＣＡＴＶ入力端子７へ伝送される。ＣＡＴＶ入力端子７に接続されたケーブルにより、ＣＡＴＶセンター装置へ伝送され、センター装置で処理される。
【００１３】
次に、ＣＡＴＶ引込線２により伝送されてきた双方向下り信号は、増幅器５の入力端子７に入力される。入力端子７に入力された双方向下り信号は、双方向上り信号を阻止し、双方向下り信号のみ通過するフィルタ１９（例えばハイパスフィルタ。以下、ＨＰＦという）に入力され、増幅器５内に取り込まれる。フィルタ１９に入力された双方向下り信号は、８００ＭＨｚ帯の妨害波を除去するためのフィルタ２０（例えばＬＰＦ）、減衰回路２１、利得調整回路２２、増幅回路２３、チルト回路２４、増幅回路２３で所定レベルまで増幅され、ＣＡＴＶ下り信号が通過して、ＢＳ・ＣＳ−ＩＦ信号の通過を阻止するためのフィルタ２５（例えばＬＰＦ）に伝送され、後述する入力端子８、入力端子９からのＢＳ・ＣＳ−ＩＦ信号と合成されて、分配回路３６に入力される。分配回路３６で等分に分配された下り信号（詳しくは双方向下り信号、ＢＳ・ＣＳ−ＩＦ信号が合成された信号）は、第一の下り信号経路としての、双方向上り信号を阻止し、双方向下り信号とＢＳ−ＩＦ信号、ＣＳ−ＩＦ信号を通過するフィルタ２６（例えばＬＰＦ）に入力される。フィルタ２６を通過した信号は、上記の分配混合回路２７に入力されて４分配された後、各々上り信号阻止切換スイッチ回路１２、電源信号分離フィルタ４１を介して双方向出力端子１０に出力されて、双方向出力端子１０に接続された同軸ケーブルを伝送して、ＢＳ・ＣＳチューナ６、ＴＶ受像機５６で受信される。また、分配回路３６で等分に分配された信号は、下り信号の第二の下り信号経路としてのフィルタ２６と同じ特性のフィルタ３７、分配回路３８に入力され、分配回路３８で４分配された下り信号は、上記電源信号分離フィルタ４１を介して単方向出力端子１１に出力される。単方向出力端子１１に接続された同軸ケーブルを伝送してＢＳ・ＣＳチューナ６、ＴＶ受像機５６で受信される。尚、フィルタ３７がなくても性能を満足できる場合は、フィルタ３７を無くしてもよい。
【００１４】
次にＣＳ信号は、ＣＳアンテナ３及びＣＳコンバータ３ａで受信され、ＣＳ−ＩＦ信号がＣＳコンバータ３ａから出力される。ＣＳ−ＩＦ信号は、ＣＳコンバータ３ａと増幅器５の入力端子８の間を、同軸ケーブルで伝送され、入力端子８に入力される。入力端子８に入力されたＣＳ−ＩＦ信号は、後述する電源信号分離フィルタ４９に入力され、増幅器５に取り込まれる。電源信号分離フィルタ４９に入力されたＣＳ−ＩＦ信号は、減衰回路２８、利得調整回路２９、ＣＳ−ＩＦ信号を通過させ、ＢＳ−ＩＦ信号を阻止するフィルタ３０（例えばＨＰＦ）を介して伝送され、後述する入力端子９から伝送されるＢＳ−ＩＦ信号と合成され、増幅回路３４で所定レベルまで増幅され、ＣＡＴＶ下り信号を阻止してＣＳ・ＢＳ−ＩＦ信号のみ通過するフィルタ３５まで伝送される。フィルタ３５を通過したＣＳ・ＢＳ−ＩＦ信号は、上記双方向下り信号と合成され、上記分配回路３６へ伝送される。尚、分配回路３６から双方向出力端子１０、単方向出力端子１１まで伝送される過程は、双方向下り信号の伝送と同一であり、説明が重複するので省略する。
【００１５】
同様にＢＳ信号は、ＢＳアンテナ４及びＢＳコンバータ４ａで受信され、ＢＳ−ＩＦ信号がＢＳコンバータ４ａから出力される。ＢＳ−ＩＦ信号は、ＢＳコンバータ４ａと増幅器５の入力端子９の間を、同軸ケーブルで伝送され、入力端子９に入力される。入力端子９に入力されたＢＳ−ＩＦ信号は、電源信号分離フィルタ４９に入力され、増幅器５に取り込まれる。電源信号分離フィルタ４９に入力されたＢＳ−ＩＦ信号は、減衰回路３１、利得調整回路３２、ＢＳ−ＩＦ信号を通過させ、ＣＳ−ＩＦ信号を阻止するフィルタ３３（例えばＬＰＦ）を介して伝送され、上記ＣＳ−ＩＦ信号と合成されて増幅回路３４に入力される。増幅回路３４から双方向出力端子１０、単方向出力端子１１まで伝送される過程は、ＣＳ−ＩＦ信号の伝送と同一であり、説明が重複するので省略する。
【００１６】
次に、プラグ３９にＡＣ１００Ｖが印加されると、電源回路４０によりＤＣ１５Ｖが出力される。ＤＣ１５Ｖは、増幅回路１５、２３、３４へ供給される。また、ＤＣ１５Ｖは入力端子９に接続された電源信号分離フィルタ４９にも供給される。電源信号分離フィルタ４９は図５に示すように、ＢＳ−ＩＦ信号入力・電源出力端子４９ａとＢＳ−ＩＦ信号出力端子４９ｂの間に、ＢＳ−ＩＦ信号を通過させ、直流または低周波信号を阻止するコンデンサ５１が接続され、電源出力端子４９ａと電源入力端子４９ｃの間に、コンバータの動作用電源として、また、偏波切換用として使用している直流または低周波信号を通過させ、ＢＳ−ＩＦ信号を阻止するチョークコイル５２が接続されている。また、入力端子８に接続された電源分離フィルタ４９も同様の構成であるが、ＣＳ−ＩＦ信号入力・電源出力端子４９ａと電源入力端子４９ｃの間に接続されたチョークコイル５２には、ＣＳコンバータ３ａの動作用電源として、且つ、偏波切換用として使用する直流、および偏波切換用の低周波信号またはパルス信号を通過させる。尚、ＢＳ−ＩＦ信号入力・電源出力端子４９ａが上記入力端子９に接続され、ＢＳ−ＩＦ信号出力端子４９ｂが上記減衰回路３１と接続されている。電源入力端子４９ｃが上記電源回路４０に接続されている。
【００１７】
次に、双方向出力端子１０、単方向出力端子１１に接続されたＣＳ−ＩＦ信号受信中のＣＳチューナ６またはＳＴＢ５９でユーザーが選局すると、選局したチャンネルに対応する偏波切換信号が上記ＣＳチューナ６、ＳＴＢ５９の受信入力端子へ出力される（本実施例ではＤＣ１１Ｖまたは１５Ｖ）。偏波切換信号は、上記ＣＳチューナ６、ＳＴＢ５９と接続された同軸ケーブルを伝送して、双方向出力端子１０または単方向出力端子１１に入力される。双方向出力端子１０、単方向出力端子１１に入力された偏波切換信号は、ＣＳ−ＩＦ信号出力・偏波切換信号入力端子４１ｂに入力される。電源信号分離フィルタ４１は図４に示すように、ＣＳ−ＩＦ信号入力端子４１ａとＣＳ−ＩＦ信号出力・偏波切換信号入力端子４１ｂの間に、ＣＳ−ＩＦ信号を通過させ、直流または低周波信号を阻止するコンデンサ４６が接続され、ＣＳ−ＩＦ信号出力・偏波切換信号入力端子４１ｂと偏波切換信号出力端子４１ｃの間に、直流または低周波信号を通過させ、ＣＳ−ＩＦ信号を阻止するチョークコイル４７とダイオード４８が直列に接続されている。尚、ＣＳ−ＩＦ信号入力端子４１ａが上記上り信号阻止切換スイッチ１２に接続され、ＣＳ−ＩＦ信号出力・偏波切換信号入力端子４１ｂが上記双方向出力端子１０または単方向出力端子１１と接続されている。偏波切換信号出力端子４１ｃが入力端子８に接続された上記電源入力端子４９ｃに接続されている。尚、ダイオード４８は、複数の双方向出力端子１０、単方向出力端子１１により同時にＣＳ受信信号の偏波切換信号が入力された場合、ＢＳ・ＣＳチューナ６、ＳＴＢ５９が故障しないようにするための逆流防止ダイオードである。また、ダイオード４８のＯＲ接続により、双方向出力端子１０、単方向出力端子１１のいずれの端子にもＢＳ・ＣＳチューナ６、ＳＴＢ５９が接続できる。次に、上り信号阻止切換スイッチ１２は図２に示すように、２回路２接点スイッチ５０、双方向上り信号を阻止し双方向下り信号、ＢＳ−ＩＦ信号、ＣＳ−ＩＦ信号を通過するフィルタ４２（例えばＨＰＦ）が図に示すごとく接続されている。２回路２接点スイッチ５０を操作することにより、双方向伝送と単方向伝送を選択できるようになっている。スイッチ５０を５０ａ側に選択すると、ＣＡＴＶ上り信号、ＣＡＴＶ下り信号、ＣＳ−ＩＦ信号、ＢＳ−ＩＦ信号が全て通過できる双方向伝送となる。一方、スイッチ５０を５０ｂ側に選択すると、双方向上り信号を阻止し、下り信号を通過させるフィルタ４２（例えばＨＰＦ）が直列に介設されることになり、ＣＡＴＶ上り信号を阻止して、ＣＡＴＶ下り信号、ＣＳ−ＩＦ信号、ＢＳ−ＩＦ信号のいわゆる下り信号のみ通過できる単方向伝送となる。
【００１８】
次に帯域切換回路１７は、図３に示すように２回路３接点スイッチ４３、双方向上り信号のうち一部の帯域（例えば３０ＭＨｚ〜５５ＭＨｚ）の信号を通過できるフィルタ４４（例えばＨＰＦ）及び、２個の終端抵抗器４５を図のごとく接続したものである。２回路３接点スイッチ４３を操作することにより、双方向上り信号（例えば１０ＭＨｚ〜５５ＭＨｚ）全帯域を通過させるか、または、双方向上り信号の一部帯域（例えば３０ＭＨｚ〜５５ＭＨｚ）のみを通過させるか、または、双方向上り信号の通過を阻止するか、のいずれかを選択させることが可能になっている。具体的には、２回路３接点スイッチ４３で４３ａ側を選択した場合、双方向出力端子１０から入力端子７に対して、双方向上り信号の全帯域の信号が通過できる。また、２回路３接点スイッチ４３で４３ｂ側を選択した場合、双方向出力端子１０から入力端子７に対して、双方向上り信号のうち、一部の帯域の信号のみ通過できる。また、２回路３接点スイッチ４３で４３ｃ側を選択した場合、双方向出力端子１０から入力された双方向上り信号が終端抵抗器４５で終端される。また、利得調整回路１６の一端も終端抵抗器４５で終端されるため、回路インピーダンスを乱すことなく双方向上り信号を阻止することができる。従って、上り信号阻止切換スイッチ１２で単方向を選択するより、入出力間のアイソレーションが高くなるという効果がある。尚、第一の信号周波数伝送経路はフィルタ１９、フィルタ２０、減衰回路２１、利得調整回路２２、増幅器２３、フィルタ２４、フィルタ２５が相当し、第二の信号周波数伝送経路は電源信号分離フィルタ４９、減衰回路３１、利得調整回路３２、フィルタ３３、増幅回路３４、フィルタ３５が相当し、第三の信号周波数伝送経路は電源信号分離フィルタ４９、減衰回路２８、利得調整回路２９、フィルタ３０、増幅回路３４、フィルタ３５が相当し、第四の信号周波数伝送経路はフィルタ１８、帯域切換回路１７、利得調整回路１６、増幅回路１５、減衰回路１４、フィルタ１３が相当する。
【００１９】
増幅器５本体は、アルミダイカスト製で作られているためシールド性がよく、外部からのノイズの影響を受けない。図７において、底面には入力端子７、入力端子８、入力端子９、プラグ３９が突設されており、上面には複数の双方向出力端子１０、単方向出力端子１１が突設されている。図９に示すように、単方向出力端子１１は前後にＬだけ段差を設けている。これは、増幅器５を壁Ｗに設置した際、Ｆ型プラグＣの着脱作業を容易にするためである。尚、６０は台座である。これにより、分電盤のようなせまい場所でも、作業を容易にすることができる。また、図８に示すように各双方向出力端子１０の近くには上り信号阻止切換スイッチ１２が設けているので、集中的に上り信号阻止切換スイッチ１２を設けた場合に比べて、操作ミスを防止できる。また、図７において正面には帯域切換回路１７、フィルタ２４が設けられており、さらに利得調整回路１６、２２、２９、３２、減衰回路１４、２１、２８、３１が図のように設けられている。また、正面右上には、動作状態を示すパイロットランプＰＬが設けられている。パイロットランプＰＬは、動作中にランプが点灯するようになっている。尚、上記実施の形態は、増幅器５が屋内用として使用する場合について説明したが、防水型のケースに収容することにより、屋外で使用するなど、状況に応じて容易に変更できる。
【図面の簡単な説明】
【図１】共同受信機器の構成を示す構成図。
【図２】上り切換スイッチ１２の回路図。
【図３】帯域切換器１７の回路図。
【図４】電源信号分離フィルタ４１の回路図。
【図５】電源信号分離フィルタ４９の回路図。
【図６】共同受信機器を用いたシステムの構成を示す構成図。
【図７】共同受信機器の斜視図。
【図８】共同受信機器の平面図。
【図９】共同受信機器の側面図。
【符号の説明】
１…住宅、２…ＣＡＴＶシステムからの引込線、３ａ…ＣＳコンバータ、４ａ…ＢＳコンバータ、５…増幅器、６…ＢＳ・ＣＳチューナ、７…第一の入力端子、８…第三の入力端子、９…第二の入力端子、１０…第一の出力端子（双方向出力端子）、１１…第二の出力端子（単方向出力端子）、１２…上り信号阻止切換スイッチ、１４…減衰回路、１５…増幅回路、１７…帯域切換回路、４１…電源信号分離フィルタ、４９…電源信号分離フィルタ、５６…テレビまたはＢＳ・ＣＳチューナ内臓のテレビ、５７…ケーブルモデム、５８…情報端末装置
【図１】
0004426704.tif 000002
【図２】
0004426704.tif 000003
【図３】
0004426704.tif 000004
【図４】
0004426704.tif 000005
【図５】
0004426704.tif 000006
【図６】
0004426704.tif 000007
【図７】
0004426704.tif 000008
【図８】
0004426704.tif 000009
【図９】
0004426704.tif 000010